(57)【要約】【課題】既設サッシ枠の開口高さに応じた新設サッシ枠の高さを１人の作業者で採寸できる採寸治具とする。【解決手段】既設上枠１０の開口高さ上部基準部位を基準として取り付ける採寸用ジョイント上枠４と、既設下枠１１の開口高さ下部基準部位を基準として取り付ける採寸用ジョイント下枠５と、採寸用ジョイント下枠５を基準として配置する採寸用ブレート６と、測長器７を備え、測長器７の測長用物差し７０の先端部を採寸用ジョイント上枠４で保持することで測長先端部７ａを上部採寸基準位置に合致し、その測長用物差し７０の目盛を採寸用プレート６の下部採寸基準位置に合致し、その目盛を読むことで新設サッシ枠の高さを採寸できる治具とする。【選択図】図１
2015224468.tif 000002
【特許請求の範囲】
【請求項１】
既設サッシ枠の既設上枠に、該既設上枠の開口高さ上部基準部位を基準として取り付けられ、上部採寸基準位置を有した採寸用ジョイント上枠と、
前記既設サッシ枠の既設下枠に、該既設下枠の開口高さ下部基準部位を基準として取り付けられる採寸用ジョイント下枠と、
前記採寸用ジョイント下枠を基準として配置され、下部採寸基準位置を有した採寸用プレートと、
上記採寸用ジョイント上枠の上部採寸基準位置と前記採寸用プレートの下部採寸基準位置との間の寸法を測長する測長器とを備え、
前記測長器の測長値が前記既設サッシ枠の開口高さに応じた新設サッシ枠の高さとなるようにし、
前記採寸用ジョイント上枠は、前記測長器の測長用物差しの先端部を、少なくとも上下方向のいずれか一方に動かないように保持する保持部を有し、
前記測長用物差しの先端部を保持部で保持することで、前記測長用物差しの測長先端部が採寸用ジョイント上枠の上部採寸基準位置に合致するようにしたことを特徴とするサッシ改修用採寸治具。
【請求項２】
前記採寸用ジョイント上枠は、既設サッシ枠の建物躯体への取り付け型に応じた複数の上部採寸基準位置と複数の保持部を上下方向に離隔してそれぞれ有し、
前記測長用物差しの先端部を、いずれか１つの保持部で保持することで、前記測長用物差しの測長先端部がいずれか１つの上部採寸基準位置と合致するようにした請求項１記載のサッシ改修用採寸治具。
【請求項３】
前記採寸用プレートは、既設サッシのタイプに応じた複数の下部採寸基準位置を上下方向に離隔して有する請求項１又は２記載のサッシ改修用採寸治具。
【請求項４】
前記測長器は、可撓性を有する帯状の測長用物差しをケース内に巻き取り、繰り出し自在に設けたメジャーで、
前記測長用物差しの先端部に、前記採寸用ジョイント上枠の保持部に下方に動かないように保持される被保持部を有する請求項１〜３いずれか１項記載のサッシ改修用採寸治具。
【請求項５】
前記採寸用ジョイント上枠は、既設上枠の開口高さ上部基準部位と対向した横向き部と、該横向き部に設けられ保持部を有する下向き部と、前記横向き部に設けられ既設上枠の縦壁と接する上向き部を有し、
前記上向き部と既設上枠の縦壁とをハンドクランプで固定することで採寸用ジョイント上枠を既設上枠に取り付けるようにした請求項１〜４いずれか１項記載のサッシ改修用採寸治具。
【請求項６】
前記既設下枠に取り付けられる新設下枠と同一断面形状のアタッチメントを備え、
該アタッチメントに前記採寸用プレートを固定して取り付け、
前記アタッチメントを前記既設下枠に設けることで、前記採寸用プレートを既設下枠に配置するようにした請求項１〜５いずれか１項記載のサッシ改修用採寸治具。
【請求項７】
前記採寸用プレートは、前記既設下枠に取り付ける新設下枠の断面形状の絵を有し、
前記採寸用プレートを前記採寸用ジョイント下枠に固定して取り付けた請求項１〜５いずれか１項記載のサッシ改修用採寸治具。
【発明の詳細な説明】
【技術分野】
【０００１】
本発明は、既設サッシの既設サッシ枠内に新設サッシの新設サッシ枠を取り付けて既設サッシを新設サッシに改修する際に、既設サッシ枠の開口高さに応じた新設サッシ枠の高さを採寸するサッシ改修用採寸治具に関する。
【背景技術】
【０００２】
既設サッシを新設サッシに改修した改修サッシが特許文献１に開示されている。
この改修サッシは、建物躯体の開口部に既設サッシの既設サッシ枠が残存し、その既設サッシ枠内に新設サッシの新設サッシ枠が取り付けられ、新設サッシ枠に障子が取り付けてある。
【先行技術文献】
【特許文献】
【０００３】
【特許文献１】特許第５４３５５７２号公報
【発明の概要】
【発明が解決しようとする課題】
【０００４】
改修サッシにおいては、新設サッシ枠を既設サッシ枠の開口高さに応じた高さとして枠組みし、その新設サッシ枠を既設サッシ枠内に取り付けるので、既設サッシ枠の開口高さを測長具を用いて測定し、その測定した既設サッシ枠の開口高さに基づき、所定の数式により新設サッシ枠の高さを算出しているので、面倒である。
また、既設サッシ枠の開口高さを測定するには、測長具の一端部を既設サッシ枠の既設上枠に保持した状態で、既設サッシ枠の既設下枠と合致する測長具の目盛を読むことで測定しているので、その測定作業が面倒である。
しかも、開口高さが大きい既設サッシ枠の場合には、１人の作業者が測長具の一端部を既設上枠に保持し、他の作業者が既設下枠と合致する測長具の目盛を読むことになるから、２人の作業員が必要である。
【０００５】
本発明の目的は、既設サッシ枠の開口高さに応じた新設サッシ枠の高さを簡単に、しかも１人の作業者で採寸できるようにしたサッシ改修用採寸治具とすることである。
【課題を解決するための手段】
【０００６】
本発明は、既設サッシ枠の既設上枠に、該既設上枠の開口高さ上部基準部位を基準として取り付けられ、上部採寸基準位置を有した採寸用ジョイント上枠と、
前記既設サッシ枠の既設下枠に、該既設下枠の開口高さ下部基準部位を基準として取り付けられる採寸用ジョイント下枠と、
前記採寸用ジョイント下枠を基準として配置され、下部採寸基準位置を有した採寸用プレートと、
上記採寸用ジョイント上枠の上部採寸基準位置と前記採寸用プレートの下部採寸基準位置との間の寸法を測長する測長器とを備え、
前記測長器の測長値が前記既設サッシ枠の開口高さに応じた新設サッシ枠の高さとなるようにし、
前記採寸用ジョイント上枠は、前記測長器の測長用物差しの先端部を、少なくとも上下方向のいずれか一方に動かないように保持する保持部を有し、
前記測長用物差しの先端部を保持部で保持することで、前記測長用物差しの測長先端部が採寸用ジョイント上枠の上部採寸基準位置に合致するようにしたことを特徴とするサッシ改修用採寸治具である。
【０００７】
本発明のサッシ改修用採寸治具は、前記採寸用ジョイント上枠は、既設サッシ枠の建物躯体への取り付け型に応じた複数の上部採寸基準位置と複数の保持部を上下方向に離隔してそれぞれ有し、
前記測長用物差しの先端部を、いずれか１つの保持部で保持することで、前記測長用物差しの測長先端部がいずれか１つの上部採寸基準位置と合致するようにできる。
このようにすれば、既設サッシ枠の建物躯体への取り付け型が異なる場合でも、その既設サッシ枠の開口高さに応じた新設サッシ枠の高さを採寸できる。
例えば、半外付型、外付型、内付型の既設サッシ枠に対応した上部採寸基準位置を設けることで、半外付型、外付型、内付型の既設サッシ枠の開口高さに応じた新設サッシ枠の高さを採寸できる。
【０００８】
本発明のサッシ改修用採寸治具は、前記採寸用プレートは、既設サッシのタイプに応じた複数の下部採寸基準位置を上下方向に離隔して有することができる。
このようにすれば、既設サッシのタイプに応じた新設サッシ枠の高さを採寸できる。
例えば、窓タイプに対応した下部採寸基準位置とテラスタイプに対応した下部採寸基準位置を採寸用プレートに設けることで、窓タイプ、テラスタイプの既設サッシ枠の開口高さに応じた新設サッシ枠の高さを採寸することができる。
【０００９】
本発明のサッシ改修用採寸治具は、前記測長器は、可撓性を有する帯状の測長用物差しをケース内に巻き取り、繰り出し自在に設けたメジャーで、
前記測長用物差しの先端部に、前記採寸用ジョイント上枠の保持部に下方に動かないように保持される被保持部を有するものにできる。
このようにすれば、測長用物差しの被保持部を保持部に保持し、ケースをもって下方に移動することで測長用物差しの目盛を、採寸用プレートの下部採寸基準位置まで移動し、その目盛を読むことで既設サッシ枠の開口高さに応じた新設サッシ枠の高さを採寸できるから、メジャーを手で持って簡単に採寸できる。
【００１０】
本発明のサッシ改修用採寸治具は、前記採寸用ジョイント上枠は、既設上枠の開口高さ上部基準部位と対向した横向き部と、該横向き部に設けられ保持部を有する下向き部と、前記横向き部に設けられ既設上枠の縦壁と接する上向き部を有し、
前記上向き部と既設上枠の縦壁とをハンドクランプで固定することで採寸用ジョイント上枠を既設上枠に取り付けるようにできる。
このようにすれば、新設サッシ枠の高さを採寸する際に採寸用ジョイント上枠を簡単に既設上枠に取り付けできる。
【００１１】
本発明のサッシ改修用採寸治具は、前記既設下枠に取り付けられる新設下枠と同一断面形状のアタッチメントを備え、
該アタッチメントに前記採寸用プレートを固定して取り付け、
前記アタッチメントを前記既設下枠に設けることで、前記採寸用プレートを既設下枠に配置するようにできる。
【００１２】
本発明のサッシ改修用採寸治具は、前記採寸用プレートは、前記既設下枠に取り付ける新設下枠の断面形状の絵を有し、
前記採寸用プレートを前記採寸用ジョイント下枠に固定して取り付けることができる。
【発明の効果】
【００１３】
本発明によれば、既設サッシ枠に採寸用ジョイント上枠、採寸用ジョイント下枠を取り付け、採寸用プレートを配置した状態で、採寸用ジョイント上枠の上部採寸基準位置と採寸用プレートの下部採寸基準位置との間の寸法を測長器で測長することで、既設サッシ枠の開口高さに応じた新設サッシ枠の高さを採寸できる。
このように、測長器で測長した長さに基づいて新設サッシ枠の高さを算出する必要がなく、新設サッシ枠の高さを測長器で直接的に採寸できるから、新設サッシ枠の高さを簡単に採寸できる。
しかも、測長器の測長用物差しの先端部を作業者が手で保持する必要がなく、１人の作業者で採寸できる。
【図面の簡単な説明】
【００１４】
【図１】本発明の実施の形態を示す既設サッシ枠にサッシ改修用採寸治具を配置した状態の縦断面図である。
【図２】サッシ改修用採寸治具の斜視図である。
【図３】採寸用ジョイント上枠を既設上枠にハンドクランプで取り付けた状態の断面図である。
【図４】既設サッシ枠にサッシ改修用採寸治具を配置した状態を図１と面内方向反対側から見た縦断面図である。
【図５】サッシ改修用採寸治具の第２の実施形態を示す斜視図である。
【図６】改修サッシの断面図である。
【図７】改修サッシの断面図である。
【図８】改修サッシの断面図である。
【発明を実施するための形態】
【００１５】
図１に示すように、既設サッシの既設サッシ枠１が建物躯体２に残存している。
既設サッシ枠１の上枠１０は、室内側縦壁１０ａと、室内側の上ガイドレール１０ｂと、室外側の上ガイドレール１０ｃと、室外側縦壁１０ｄを有している。
既設サッシ枠１の下枠１１は、室内側縦壁１１ａと、室内側の下ガイドレール１１ｂと、室外側の下ガイドレール１１ｃと、室外側縦壁１１ｄを有している。
つまり、実施形態の既設サッシは、既設サッシ枠１に室内側障子と室外側障子を引き違いに取り付けた引き違いサッシである。
そして、既設サッシを新設サッシに改修する場合には、既設サッシ枠１から室内側障子、室外側障子を取り外すことで、既設サッシ枠１を建物躯体２に残存する。
【００１６】
既設サッシ枠１の開口高さＨは、既設上枠１０の開口高さ上部基準部位１０−１と既設下枠１１の開口高さ下部基準部位１１−１との間の寸法である。
実施形態では、既設上枠１０の開口高さ上部基準部位１０−１は、既設上枠１０の最も下方部位、例えば室内側の上ガイドレール１０ｂ、室外側の上ガイドレール１０ｃの下端面である。
既設下枠１１の開口高さ下部基準部位１１−１は、既設下枠１１の最も上方部位、例えば室内側縦壁１１ａ、室内側の下ガイドレール１１ｂの上端面である。
【００１７】
本発明のサッシ改修用採寸治具３は、採寸用ジョイント上枠４と採寸用ジョイント下枠５と採寸用プレート６と測長器７を備えている。
採寸用ジョイント上枠４は、既設上枠１０の開口高さ上部基準部位１０−１を基準として既設上枠１０に取り付けられる。実施形態では採寸用ジョイント上枠４は、既設上枠１０の室内側の上ガイドレール１０ｂ、室外側の上ガイドレール１０ｃの下端面に接して取り付けられる。
採寸用ジョイント上枠４は、測長器７の測長先端部７ａを、上方又は下方あるいは上方と下方に動かないように上部採寸基準位置で保持する保持部４ａを有している。つまり、測長器７の測長先端部７ａは採寸用ジョイント上枠４に、少なくとも上下一方向に動かないように保持される。
【００１８】
採寸用ジョイント下枠５は、既設下枠１１の開口高さ下部基準部位１１−１を基準として既設下枠１１に取り付けられる。実施形態では、採寸用ジョイント下枠５は既設下枠１１の室内側縦壁１１ａ、室内側の下ガイドレール１１ｂの上端面に接して取り付けられる。
【００１９】
採寸用プレート６は、採寸用ジョイント下枠５を基準として配置される。
採寸用プレート６は、測長器７で採寸する際の下部採寸基準位置６ａを有する。下部採寸基準位置６ａは採寸用ジョイント下枠５を基準として設定されている。
測長器７は、測長用の長さ目盛が付された長尺な測長用物差し７０を有している。
測長用物差し７０の目盛ゼロが付された部位が測長先端部７ａである。
【００２０】
次に、既設サッシ枠１の開口高さに応じた新設サッシ枠の高さを採寸する動作を説明する。
既設上枠１０に、開口高さ上部基準部位１０−１を基準として採寸用ジョイント上枠４を取り付ける。既設下枠１１に、開口高さ下部基準部位１１−１を基準として採寸用ジョイント下枠５を取り付ける。採寸用ジョイント下枠５を基準として採寸用プレート６を配置する。
測長器７の測長用物差し７０の先端部を採寸用ジョイント上枠４の保持部４ａで保持し、測長器７の測長先端部７ａを上部採寸基準位置と合致し、少なくとも上下一方に動かないように保持する。
【００２１】
この状態で、測長用物差し７０を採寸用プレート６と対向させ、測長用物差し７０における採寸用プレート６の下部採寸基準位置６ａと合致する目盛を読むことで、既設サッシ枠１の開口高さＨ１に応じた新設サッシ枠の高さを採寸することができる。
【００２２】
つまり、新設サッシ枠は、新設上枠が、採寸用ジョイント上枠４と同一断面形状のジョイント上枠４′を基準として既設上枠１０に取り付けられ、新設下枠が、採寸用ジョイント下枠５と同一断面形状のジョイント下枠５′を基準として既設下枠１１に取り付けられるから、新設サッシ枠の高さは既設サッシ枠１の開口高さＨよりも設定した寸法だけ小さい。
そして、上部採寸基準位置と開口高さ上部基準部位１０−１との間の上部寸法と、下部採寸基準位置と開口高さ下部基準部位１１−１との間の下部寸法の和を設定した寸法としてある。
また、既設サッシ枠１の開口高さＨが異なる場合は、上部採寸基準位置と下部採寸基準位置との間の寸法が変化するが、上部寸法と下部寸法は同一である。
これにより、上部採寸基準位置と下部採寸基準位置との間の寸法が既設サッシ枠１の開口高さに応じた新設サッシ枠の高さとなる。
【００２３】
したがって、前述のようにして測長用物差し７０の下部採寸基準位置６ａと合致する目盛を読むことで、既設サッシ枠１の開口高さに応じた新設サッシ枠の高さを採寸することができる。
【００２４】
このようであるから、既設サッシ枠１の開口高さに応じた新設サッシ枠の高さを直接的に採寸でき、測長値に基づいて算出しなくとも良いから、簡単に採寸することができる。
しかも、測長器７の測長用物差し７０の先端部は採寸用ジョイント上枠４に保持され、作業者が保持しなくとも良いから、既設サッシ枠１の開口高さが大きい場合でも、１人の作業者で新設サッシ枠の高さを採寸することができる。
【００２５】
次に、各部の詳細を説明する。なお、既設サッシ枠１に取り付けたときに室内外側方向に向かう方向を面外方向とし、既設上枠１０、既設下枠１１の長さ方向に向かう方向を面内方向とし、既設上枠１０に向かう方向を上方、既設下枠１１に向かう方向を下方とし説明する。
【００２６】
図１と図２に示すように、採寸用ジョイント上枠４は、面外方向に向かう水平な板状の横向き部４０と、横向き部４０の面外方向一端部である室外側端に下方に向けて設けた垂直な板状の下向き部４１と、横向き部４０の面外方向一端寄りである室外側端寄りに上方に向けて設けた垂直な板状の上向き部４２を有している。
採寸用ジョイント上枠４の面内方向の長さは、既設上枠１０の長さと比べて短く、採寸用ジョイント上枠４は短尺である。
採寸用ジョイント上枠４の下向き部４１は穴４３を有する。穴４３は下向き部４１の面外方向両面である室内側面と室外側面に貫通し、穴４３が保持部４ａである。
穴４３は、後述する測長器７の被保持部の形状に合わせた形状、実施形態では面内方向に長いスリット形状である。
【００２７】
実施形態では、下向き部４１に第１穴４３ａ、第２穴４３ｂ、第３穴４３ｃが上下方向及び面内方向に位置をずらして有している。第１穴４３ａが最も上で、第２穴４３ｂが第１穴４３ａよりも下で、第３穴４３ｃが第２穴４３ｂよりも下である。
これにより、採寸用ジョイント上枠４は第１保持部４ａ−１、第２保持部４ａ−２、第３保持部４ａ−３を上下方向に位置をずらして有する。第１保持部４ａ−１が最も上で、第２保持部４ａ−２が第１保持部４ａ−１よりも下で、第３保持部４ａ−３が第２保持部４ａ−２よりも下である。
測長器７の先端部を第１保持部４ａ−１で保持したとき、測長先端部７ａが第１の上部採寸基準位置と合致する。第２保持部４ａ−２で保持したとき、測長先端部７ａが第２の上部採寸基準位置と合致する。第３保持部４ａ−３で保持したとき、測長先端部７ａが第３の上部採寸基準位置と合致する。
【００２８】
つまり、既設サッシの既設サッシ枠１の建物躯体２への取り付け型は、内付型、半外付型、外付型の３種類があり、新設サッシの新設サッシ枠の高さは、既設サッシ枠１の開口高さが同一であっても、既設サッシ枠１の建物躯体２への取り付け型で異なる高さとなる。
新設サッシ枠の高さは、既設サッシ枠１が内付型の場合が最も高く、半外付型の場合が内付型の場合よりも低く、外付型の場合が半外付型の場合よりも低い。
【００２９】
そこで、採寸用ジョイント上枠４に、第１・第２・第３保持部４ａ−１，４ａ−２，４ａ−３となる第１・第２・第３穴４３ａ，４３ｂ，４３ｃを、既設サッシ枠１の取り付け型に応じた新設サッシ枠の高さの差だけ上下方向に位置をずらして設け、既設サッシ枠１の取り付け型に応じ、１つの穴を選択することで、測長器７の測長先端部７ａを第１・第２・第３の上部採寸基準位置と合致するようにしている。
例えば、既設サッシ枠１が内付型の場合には、第１保持部４ａ−１（第１穴４３ａ）を用いて測長器７の先端部を保持することで、測長器７の測長先端部７ａは最も高い第１の上部採寸基準位置と合致する。つまり、第１保持部４ａ−１が第１の上部採寸基準位置である。
既設サッシ枠１が半外付型の場合には、第２保持部４ａ−２（第２穴４３ｂ）を用いて測長器７の先端部を保持することで、測長器７の測長先端部７ａは２番目に高い第２の上部採寸基準位置と合致する。つまり、第２保持部４ａ−２が第２の上部採寸基準位置である。
既設サッシ枠１が外付型の場合には、第３保持部４ａ−３（第３穴４３ｃ）を用いて測長器７の先端部を保持することで、測長器７の測長先端部７ａは最も低い第３の上部採寸基準位置と合致する。つまり、第３保持部４ａ−３が第３の上部採寸基準位置である。
【００３０】
このようであるから、既設サッシ枠１が異なる取り付け型で建物躯体２に取り付けてある場合でも、保持部４ａ（穴４３）の位置を換えるだけで取り付け型に応じた新設サッシ枠の高さを採寸することができる。
【００３１】
図１に示すように、採寸用ジョイント上枠４は、採寸の際に既設上枠１０に、横向き部４０を室内側の上ガイドレール１０ｂ、室外側の上ガイドレール１０ｃの下端面に接し、上向き部４２を室外側縦壁１０ｄに接して取り付けられる。
これにより、採寸用ジョイント上枠４は既設上枠１０に面内方向及び面外方向に位置決めして取り付けられる。
なお、採寸用ジョイント上枠４は、新設サッシ枠の取り付け可否の判別にも使用され、上向き部４２が室外側縦壁１０ｄに接して取り付けることができない場合、新設サッシの取り付けは不可である。
【００３２】
実施形態では、図３に示すようにハンドクランプ８を用いて採寸用ジョイント上枠４を既設上枠１０に固定することで、取り付けられる。
ハンドクランプ８は、一対のクランプアーム８０を軸８１でクランプ状態とアンクランプ状態に回動自在に連結してある。クランプアーム８０はクランプ片８２と操作片８３を有している。
一対のクランプアーム８０は、一対のクランプ片８２が互いに接するクランプ状態に図示しないスプリングで回動して保持され、一対の操作片８３を手で握るように操作することで、一対のクランプ片８２が互いに離れるアンクランプ状態にスプリングに抗して回動する。
【００３３】
そして、ハンドクランプ８は、一対のクランプ片８２で既設上枠１０の室外側縦壁１０ｄと採寸用ジョイント上枠４の上向き部４２をクランプする。
これにより、採寸用ジョイント上枠４はハンドクランプ８で既設上枠１０に固定することで、取り付けできるから、採寸の際に採寸用ジョイント上枠４を既設上枠１０に簡単に取り付けできる。
【００３４】
ハンドクランプ８の一対のクランプ片８２で、既設上枠１０の室外側縦壁１０ｄと採寸用ジョイント上枠４の上向き部４２をクランプする際に、採寸用ジョイント上枠４の横向き部４０が邪魔となる。
そこで、採寸用ジョイント上枠４の横向き部４０の上向き部４２寄り部分を切欠きし、その切欠き部４４を通して一方のクランプ片８２が上向き部４２と接するようにしてある。
これにより、ハンドクランプ８の一対のクランプ片８２で、既設上枠１０の室外側縦壁１０ｄと採寸用ジョイント上枠４の上向き部４２を容易にクランプすることができる。
【００３５】
なお、採寸用ジョイント上枠４の横向き部４０よりも上向き部４２を長くし、上向き部４２が横向き部４０の面内方向の端面よりも面内方向に突出させるようにしても良い。
また、採寸用ジョイント上枠４の横向き部４０の上向き部４２寄りに穴を形成し、この穴を通してハンドクランプ８の一方のクランプ片８２が採寸用ジョイント上枠４の上向き部４２に接するようにしても良い。
【００３６】
採寸用ジョイント下枠５は、面外方向に向かう横壁５０と、横壁５０の面外方向の室内側端に設けた上下方向に向かう室内側縦壁５１と、横壁５０の面外方向の室外側端に設けた上下方向に向かう室外側縦壁５２を備える。
採寸用ジョイント下枠５の面内方向の長さは、既設下枠１１の長さと比べて短く、採寸用ジョイント下枠５は短尺である。
採寸用ジョイント下枠５の横壁５０は、室内側部５０ａが室外側部５０ｂよりも高い階段形状である。
横壁５０の室外側部５０ｂが既設下枠１１の開口高さ下部基準部位１１−１（室内側縦壁１１ａ、室内側の下ガイドレール１１ｂの上端面）に接し、採寸用ジョイント下枠５を上下方向に位置決めする。
採寸用ジョイント下枠５の室外側縦壁５２は、横壁５０の室外側部５０ｂの室外側端と連続して下向きに設けてある。室外側縦壁５２は既設下枠１１の室外側縦壁１１ｂの室外側面に接し、採寸用ジョイント下枠５を面外方向に位置決めしている。
【００３７】
実施形態の採寸用ジョイント下枠５は、横壁５０の室内側部５０ａと室外側部５０ｂを断熱材５０ｃで連結した断熱形材としてあるが、これは、新設サッシ枠の新設下枠が断熱形材であるためであり、新設下枠がアルミ製であれば、採寸用ジョイント下枠５の断熱材５０ｃはアルミ製とすることができる。
【００３８】
採寸用プレート６は、下端面６０と上端面６１と一側縦端面６２と他側縦端面６３を有した略矩形板状である。
採寸用プレート６の下端面６０は、室内側下端面６０ａが室外側下端面６０ｂよりも高い階段形状である。
採寸用プレート６は、室内側下端面６０ａが採寸用ジョイント下枠５の横壁５０の室内側部５０ａに接し、室外側下端面６０ｂが室外側部５０ｂに接して垂直に支持され、採寸用プレート６の表裏面は面内方向に向かう。
【００３９】
実施形態では、新設下枠を所定の長さに切断した短尺なアタッチメント９を有している。採寸用プレート６は、アタッチメント９の長さ方向の端面に裏面を接し、ビス９０で固定することで、採寸用プレート６をアタッチメント９に取り付けてある。
アタッチメント９は、採寸用ジョイント下枠５の横壁５０の上面に接して支持される。
つまり、アタッチメント９は図４に示すように、同一の高さである室内側の下ガイドレール９１、室外側の下ガイドレール９２と室内側横壁９３、室内側下部９４、室外側下部９５を有している。
そして、アタッチメント９は、室内側下部９４、室外側下部９５を採寸用ジョイント下枠５の横壁５０の室内側部５０ａ、室外側部５０ｂにそれぞれ接することで、採寸用ジョイント下枠５に支持される。
【００４０】
採寸用プレート６の表面に下部採寸基準位置６ａを有する。実施形態では、第１下部採寸基準位置６ａー１と、第１下部採寸基準位置６ａ−１よりも上に第２下部採寸基準位置６ａ−２を有している。
第１下部採寸基準位置６ａ−１は、窓タイプの既設サッシを窓タイプの新設サッシに改修する際に用いる下部採寸基準位置である。
第１下部採寸基準位置６ａ−１は、測定用プレート６を採寸用ジョイント下枠５に支持したときに、採寸用ジョイント下枠５の横壁５０の室内側部５０ａの上面と同一高さとなる。
【００４１】
第２下部採寸基準位置６ａ−２は、テラスタイプの既設サッシをテラスタイプの新設サッシに改修する際に用いる下部採寸基準位置である。
第２下部採寸基準位置６ａ−２は、採寸用プレート６を採寸用ジョイント下枠５に支持したときに、新設下枠の最上部と同一高さとなる。
実施形態では、第２下部採寸基準位置６ａ−２は、新設下枠を切断した短尺なアタッチメント９の室内側横壁９３の上端面と同一高さである。
【００４２】
つまり、窓タイプの既設サッシを窓タイプの新設サッシに改修する際は、新設上枠上部から新設下枠下部までの寸法を新設サッシ枠の高さとする。
テラスタイプの既設サッシをテラスタイプの新設サッシに改修する際は、新設上枠上部から新設下枠上部までの寸法を新設サッシ枠の高さとする。
このために、新設サッシ枠の高さは、窓タイプとテラスタイプとで新設下枠の下部から上部までの寸法、つまり新設下枠の高さだけ異なる。
【００４３】
そこで、第１下部採寸基準位置６ａ−１と第２下部採寸基準位置６ａ−２を新設下枠の高さだけ上下にずらして設定することで、第１下部採寸基準位置６ａ−１を用いれば、窓タイプの場合の新設サッシ枠の高さを採寸できる。第２下部採寸基準位置６ａ−２を用いればテラスタイプの場合の新設サッシ枠の高さを採寸することができる。
【００４４】
測長器７は、可撓性を有する帯状の測長用物差し７０と、この測長用物差し７０を巻き取り、繰り出し自在に収容するケース７１とを備え、測長器７はメジャーである。
測長器７の測長用物差し７０は目盛ゼロ（測長先端部７ａ）よりも先端寄りに被保持部７ｂを有する。実施形態では、測長用物差し７０の先端部に鉤形片７２を固定し、この鉤形片７２は第１・第２・第３穴４３ａ，４３ｂ，４３ｃに係止する形状で、鉤形片７２が被保持部７ｂである。
【００４５】
このようであるから、測長器７の鉤形片７２を採寸用ジョイント上枠４のいずれかの穴４３に係止することで、測長用物差し７０の目盛ゼロである測長先端部７ａをいずれかの上部採寸基準位置に合致して上下方向に動かないように採寸用ジョイント上枠４で保持する。
この状態で、ケース７１を手で持って測長用物差し７０を繰り出し、採寸用プレート６の第１の下部採寸基準位置６ａ−１と合致する測長用物差し７０の目盛を読むことで、新設サッシ枠の高さを採寸することができる。測長用物差し７０は、両面に目盛が付してあるので、室外側及び室内側から採寸することができる。
【００４６】
採寸用ジョイント上枠４の保持部４ａと測長器７の測長用物差し７０の被保持部７ｂは、穴４３と鉤形片７３に限ることはない。
例えば、保持部４ａを突部とし、被保持部７ｂを穴とする。保持部４ａと被保持部７ｂを磁石としても良い。保持部４ａと被保持部７ｂを互いに嵌合する凹部、凸部としても良い。
また、測長器７が剛性が強い測長用物差し７０で構成した場合は、保持部４ａは突部とし、測長用物差し７０の先端面を被保持部７ｂとし、測長器用物差し７０の先端面を突部に押し当てて上方に動かないように保持することができる。
【００４７】
図５に示すように、採寸用プレート６を採寸用ジョイント下枠５の長さ方向の端面に接し、ビスで固定することにより、採寸用プレート６を採寸用ジョイント下枠５に取り付けても良い。
この場合には、採寸用プレート６の表面に新設サッシ枠の新設下枠の断面形状の絵９ａを印刷する。
【００４８】
以上のようにして新設サッシ枠の高さを採寸した後に、その採寸した高さの新設サッシ枠をジョイント上枠４′、ジョイント下枠５′を用いて取り付けた改修サッシを説明する。
図６に示す改修サッシの既設サッシ枠１は半外付型である。つまり、既設サッシ枠１の既設上枠１０、既設下枠１１は、建物躯体２の室外側面２ａに固着して取り付けられ、既設上枠１０、既設下枠１１の室外側部分は建物躯体２よりも室外側に突出している。なお、図示は省略するが、既設縦枠も同様である。
このために、ジョイント上枠４′の室外側部を建物躯体２に固定できない。
そこで、図６に示すように、上枠アタッチメント１２を既設上枠１０の室外側の上ガイドレール１０ｃにねじ１３で固定し、上枠アタッチメント１２を既設上枠１０の室外側部分に取り付ける。
ジョイント上枠４′の横向き部４０からねじ４５を上枠アタッチメント１２に螺合することで、ジョイント上枠４′の室外側部分を上枠アタッチメント１２を介して既設上枠１０の室外側部分に固定する。
ジョイント上枠４′の横向き部４０の室内側部分からねじ４６を建物躯体２に螺合することで、ジョイント上枠４′の室内側部分を建物躯体２に固定する。
【００４９】
新設サッシ枠の新設上枠２０は、スペーサ２１を介在してジョイント上枠４′の横向き部４０の下面に接し、新設上枠２０の室外側部分からジョイント上枠４′の横向き部４０に螺合したねじ２２と、新設上枠２０の室内側部分から建物躯体２に螺合したねじ２３とで、新設上枠２０を既設上枠１０と建物躯体２とに取り付ける。ジョイント上枠４′は新設上枠２０とほぼ同一長さである。
【００５０】
ジョイント下枠５′の室内側縦壁５１の取付片５１ａからねじ５３を建物躯体に螺合し、室外側縦壁５２をブラケット５４を介して既設下枠１１の室外側の下ガイドレール１１ｃに固定することで、ジョイント下枠５′を既設下枠１１と建物躯体２に取り付ける。
【００５１】
新設サッシ枠の新設下枠２５は、アタッチメント９と同一断面形状である。
そして、新設下枠２５の室内側下部９４とジョイント下枠５′の室内側縦壁５１をねじ９６で固着して連結することで、新設下枠２５をジョイント下枠５′に取り付ける。ジョイント下枠５′は新設下枠２５とほぼ同一長さである。
【００５２】
図６に示す半外付型の既設サッシ枠１の場合には、上枠アタッチメント１２が既設上枠１０の開口高さ上部基準部位１０−１に接しているから、ジョイント上枠４′は上枠アタッチメント１２の厚さ分下方位置となる。
このために、新設サッシ枠の高さＨ１が上枠アタッチメント１２の厚さ分だけ低くなる。
そこで、既設サッシ枠の開口高さに応じた新設サッシ枠の高さを採寸するときは、測長器７の測長用物差し７０の被保持部７ｂを第２保持部４ａ−２に保持し、測長用物差し７０の測長先端部７ａを第２の上部採寸基準位置に合致させる。
【００５３】
図７に示す改修サッシの既設サッシ枠１は内付型である。つまり、既設上枠１０、既設下枠１１は建物躯体２の開口部内面に取り付けられ、建物躯体２の室外側面から室外側に突出していない。なお、図示は省略するが既設縦枠も同様である。
ジョイント上枠４′の室外側部分からねじ４５を建物躯体２に螺合できるから、上枠アタッチメントが不要である。
このために、新設サッシ枠の高さＨ２は、半外付型の場合の新設サッシ枠の高さＨ１よりも上枠アタッチメントの厚さ分大きくなる。
そこで、既設サッシ枠の開口高さに応じた新設サッシ枠の高さを採寸するときは、測長器７の測長物差し７０の被保持部７ｂを最も高い第１保持部４ａ−１に保持し、測長用物差し７０の測長先端部７ａを最も高い第１の上部採寸基準位置に合致させる。
【００５４】
図８に示す改修サッシの既設サッシ枠１は外付型である。つまり、既設上枠１０、既設下枠１１は建物躯体２の室外側面から室外側に突出して取り付けてある。なお、図示は省略するが、既設縦枠も同様である。
ジョイント上枠４′は、半外付型と同様に上枠アタッチメント１２を用いて取り付ける。
ジョイント下枠５′は下枠アタッチメント１４を用いて取り付ける。
下枠アタッチメント１４は、建物躯体２の開口部下内面と既設下枠１１の室内側縦壁１１ａの上端面に接して建物躯体２に取り付けられる。
ジョイント下枠５′は、下枠アタッチメント１４の上面に接して取り付けられる。
【００５５】
このために、ジョイント下枠５′は既設下枠１１の開口高さ下部基準部位１１−１よりも下枠アタッチメント１４の厚さ分上方位置となるから、新設サッシ枠の高さＨ３は、半外付型の場合の新設サッシ枠の高さＨ１よりも下枠アタッチメント１４の厚さ分だけ小さくなる。
そこで、既設サッシ枠の開口高さに応じた新設サッシ枠の高さを採寸するときは、測長器７の測長物差し７０の被保持部７ｂを最も低い第３保持部４ａ−３に保持し、測長用物差し７０の測長先端部７ａを最も低い第３の上部採寸基準位置に合致させる。
【符号の説明】
【００５６】
１…既設サッシ枠、２…建物躯体、３…サッシ改修用採寸治具、４…採寸用ジョイント上枠、４ａ…保持部、５…採寸用ジョイント下枠、６…採寸用プレート、６ａ…下部採寸基準位置、７…測長器、７ａ…測長先端部、９…アタッチメント、１０…既設上枠、１０−１…開口高さ上部基準部位、１１…既設下枠、１１−１…開口高さ下部基準部位、２０…新設上枠、２５…新設下枠、４０…横向き部、４１…下向き部、４２…上向き部、７０…測長用物差し、７１…ケース。
【図１】
2015224468.tif 000003
【図２】
2015224468.tif 000004
【図３】
2015224468.tif 000005
【図４】
2015224468.tif 000006
【図５】
2015224468.tif 000007
【図６】
2015224468.tif 000008
【図７】
2015224468.tif 000009
【図８】
2015224468.tif 000010